(57)【要約】【課題】  優れた見開き性を備えた無線綴じ冊子を簡単な方法で製本できる無線綴じ冊子の製本方法を提供する。【解決手段】  本発明の無線綴じ冊子の製本方法は、表紙材の裏面中央領域に刻設される２本のスジのそれぞれの幅を０．３〜０．８ｍｍの範囲に設定したこと、紙材積層体の背となる面と前記表紙材の一方のスジ内に第１の接着剤を塗布して乾燥させるようにしたこと、当該第１の背着剤層に重ねて、当該接着剤層の塗付面積よりも狭い面積に第２の接着剤を塗布し、前記表紙材で前記紙材積層体の背となる面及び表裏面を包んだ上で、加熱具を用いて前記表紙材の背部分を外側から加熱しながら押圧し、前記第２の接着剤を前記一方のスジ及びその近傍を除く前記第１の接着剤層全面に拡散させるとともに前記スジのうちの他方の内部に充填させ前記第２の接着剤を硬化養生させることを特徴とする。【選択図】図１
2016002717.tif 000002
【特許請求の範囲】
【請求項１】
表紙材の裏面中央に２本のスジを紙材積層体の厚さに略合致する間隔に平行に刻設する工程と、
前記表紙材を前記スジの一方を折れ目にして反対側に略２つ折りし、当該一方のスジを前記紙材積層体の背となる面に揃えて当該表紙材を積層配置する工程と、
前記紙材積層体における背となる面から前記表紙材の一方のスジ内まで連続して第１の接着剤を塗布し、その後に乾燥させる行程と、
前記紙材積層体の前記表紙材を重ねた側から当該第１の背着剤層に重ねて、第２の接着剤を当該紙材積層体の厚さの４０〜７０％の幅でかつスジの長さ方向全長にわたり塗布し、前記２つ折りした表紙材を今度は前記スジの各々が内側になるようにそれぞれを折れ目にして折り曲げ返してコの字状に形成し、前記紙材積層体の第２の接着層を塗布した背部分及び表裏面を包む工程と、
加熱具を用いて前記表紙材の背部分を加熱しながら外側から押圧し、前記第２の接着剤を前記一方のスジ及びその近傍を除く前記第１の接着剤層全面から前記スジのうちの他方の内部に連続的に拡散させる工程と、
前記表紙材の背を内部の前記積紙材層体に向けて外側から押圧状態に保持したまま前記第２の接着剤を硬化養生させる工程と、を含む無線綴じ冊子の製本方法。
【請求項２】
前記２本のスジはそれぞれ、その長さ方向に直交する方向の前記表紙材の裏面上における幅が０．３〜０．８ｍｍである請求項１に記載の無線綴じ冊子の製本方法。
【請求項３】
前記第１の接着剤は、澱粉系、合成樹脂エマルション系、ホットメルト系及び膠系から選択される少なくとも１種である請求項１又は２に記載の無線綴じ冊子の製本方法。
【請求項４】
前記第２の接着剤は、澱粉系、合成樹脂エマルション系、ホットメルト系及び膠系から選択される少なくとも１種である請求項１〜３のいずれか１項に記載の無線綴じ冊子の製本方法。
【発明の詳細な説明】
【技術分野】
【０００１】
本発明は、優れた見開き性を備える無線綴じ冊子の製本方法に関する。
【背景技術】
【０００２】
ノートブックその他の冊子では、紙材を所定枚数揃えて重ね合せて紙材積層体となし、その背となる面に接着剤を塗布して表紙材を貼り付けた無線綴じの製本方式が多用されている。この製本方式は、上記のとおり紙材積層体の背となる面のみを接着剤で固定するため、一応、冊子を喉の部分まで開くといわれており、また中綴じに比較して安価であり紙材積層体を構成する紙材の枚数の自由度が高いという利点があることが知られている。
【先行技術文献】
【特許文献】
【０００３】
【特許文献１】特開２００４−１８８８６３-号公報
【発明の概要】
【発明が解決しようとする課題】
【０００４】
しかしながら、この製本方式では、塗付後の接着剤層に対し各紙材の背側の端部を略垂直に固定するため、硬化後の接着剤の柔軟性にもよるが、冊子の任意の頁を開いた場合に、通常、接着剤に一端を固定されたそれぞれの紙材が特に背部近傍にて盛り上がった状態となり、背部を挟んで左右の紙材が略１８０度開いた状態とならず、見開きが良好とは言えない問題があった。
【０００５】
また、無線綴じ冊子の場合、接着剤としてホットメルト系の接着剤が用いられることが多いが、この場合、加熱により溶融した接着剤が紙材積層体と表紙材との間ののど部分に回りこみ、表紙材とこれに接する１枚目の紙材とがのど部分において接着し、これにより１枚目の紙材が良好に見開けないという問題があった。
【０００６】
本発明は、これらの問題・課題を解決すべくなされたものであり、優れた見開き性を備えた無線綴じ冊子を簡単な方法で製本できる無線綴じ冊子の製本方法を提供することを目的とする。
【課題を解決するための手段】
【０００７】
前記目的は、本発明の一局面によれば、表紙材の裏面中央に２本のスジを紙材積層体の厚さに略合致する間隔に平行に刻設する工程と、前記表紙材を前記スジの一方を折れ目にして反対側に略２つ折りし、当該一方のスジを前記紙材積層体の背となる面に揃えて当該表紙材を積層配置する工程と、前記紙材積層体における背となる面から前記表紙材の一方のスジ内まで連続して第１の接着剤を塗布し、その後に乾燥させる行程と、前記紙材積層体の前記表紙材を重ねた側から当該第１の背着剤層に重ねて、第２の接着剤を当該積層体の厚さの４０〜７０％の幅でかつスジの長さ方向全長にわたり塗布し、前記２つ折りした表紙材を今度は前記スジの各々が内側になるようにそれぞれを折れ目にして折り曲げ返してコの字状に形成し、前記紙材積層体の第２の接着層を塗布した背部分及び表裏面を包む工程と、加熱具を用いて前記表紙材の背部分を加熱しながら外側から押圧し、前記第２の接着剤を前記一方のスジ及びその近傍を除く前記第１の接着剤層全面から前記２本のスジのうちの他方の内部に連続的に拡散させる工程と、前記表紙材の背を内部の前記紙材積層体に向けて外側から押圧状態に保持したまま前記第２の接着剤を硬化養生させる工程と、を含む無線綴じ冊子の製本方法によって達成される。
【発明の効果】
【０００８】
本発明の無線綴じ冊子の製本方法によれば、紙材積層体の背部分を第１の接着剤で固めるとともに、第２の接着剤によって表紙材を第１の接着剤層に接着するとともに、２つのスジにそれぞれ入り込んだ第１及び第２の接着剤によって前記紙材積層体における背側の面と前記表紙材における背部分の内面（２本のスジの内部を含む。）とで一体的に固着させるようにした。これにより、製本により得られた無線綴じ冊子は、これを任意の頁で開いた場合、表紙材３の背部３ｃに強制的に湾曲させる力が働いて、結果として背部３ｃに略垂直に固定された個々の紙材２はより水平に向くようになり、優れた見開き性を備えることができる。
【図面の簡単な説明】
【０００９】
【図１】本発明の製本方法によって得られる無線綴じ冊子の一例を模式的に示す横断面図である。
【図２】図１に示す無線綴じ冊子の製本方法における前半の工程の一例を示す説明図である。
【図３】図１に示す無線綴じ冊子の製本方法における後半の工程の一例を示す説明図である。
【図４】図１に示す無線綴じ冊子の優れた見開き性を例示する図である。
【発明を実施するための形態】
【００１０】
以下、添付図面を参照しながら、本発明の無線綴じ冊子の製本方法の一実施形態について詳細に説明する。以下では、まず図１により、本発明の製本方法により得られる無線綴じ冊子の一例について説明する。図１に示すように、本発明の製本方法により得られる無線綴じ冊子１は、紙材を所定枚数重ね合せた紙材積層体２、その背となる面が第１の接着剤層５及び第２の接着剤層６を介して表紙材３の中央領域の背部３ｃの内面に接着固定された形態を備えている。
【００１１】
［紙材２］
紙材２は、その各葉を所定枚数揃えて重ね合せて紙材積層体２を形成する。このとき、各葉の紙材を中央から２つ折りにした折丁を用い、それぞれの折丁を折れ目を揃え重ね合わせて丁合を取り、所定の枚数の紙材積層体２になるようにしてもよい。
【００１２】
ここで、紙材２は、その種類を問わず、雑誌、ノートブックなどの本文に通常用いられる書類を特に制限なく使用できる。このような紙材の具体例としては、上級印刷紙、中級印刷紙、下級印刷紙及び薄葉印刷用紙などの非塗工印刷用紙；微塗工印刷用紙；アート紙、コート紙、軽量コート紙などの塗工印刷用紙；色上質紙などの特殊印刷用紙；複写用紙、コピー用紙などの情報用紙などが挙げられ、これらは単独で又は複数を組み合わせて用いることができる。また、紙材の米坪量についてもとくに制限がなく、例えば４０〜１５０ｇ／ｍ２の範囲のものを使用できる。例えば製本する冊子がノートブックの場合、米坪量７０ｇ／ｍ２前後の紙材が使用されるのが通常である。
【００１３】
［表紙材３］
表紙材３は、製本する冊子１の表紙、裏表紙及び背のそれぞれの大きさを加え合わせたよりも僅かに大きい面積を備えた矩形状を呈している。その中央領域には、後述するように所定の間隔離して互いに平行に２本のスジ４、４が刻設されている。また、２本のスジ４、４の間隔は、前記紙材積層体２の厚さに略同等となるように設定される。製本工程においては、これらのスジ４、４を折れ目として当該各スジ４が内側にくるように表紙材３はコの字状に折り曲げられ、冊子の表表紙３ａ（又は３ｂ）、裏表紙３ｂ（又は３ａ）及び背部（３ｃ）がそれぞれ区画形成される。この折り曲げにより、各スジ４の表紙材面における上端は互いに接近するようになり、その幅は小さくなる。
【００１４】
表紙材３としては、通常、無線綴じ冊子に使用される従来公知の種類のものが使用可能である。具体的には、アート紙、コート紙、軽量コート紙などの塗工印刷用紙；色上質紙などの特殊印刷用紙などが使用できる。表紙材の米坪量についてはとくに制限がなく、例えば８０〜２００ｇ／ｍ２の範囲のものを使用できる。
【００１５】
第１の接着剤５は、その種類について特に制限がなく、従来公知の澱粉系、膠系、合成樹脂エマルション系、ホットメルト系などの接着剤を使用できる。合成樹脂エマルション系接着剤の主成分となる合成樹脂の具体例としては、アクリル樹脂、酢酸ビニル樹脂、エチレン酢酸ビニル樹脂、ゴムなどが挙げられ、これらはいずれも単独で又は組み合わせて使用できる。また、ホットメルト系接着剤としては、エチレン酢酸ビニル樹脂系、ウレタン樹脂系、ゴムなどを主成分とするものが挙げられ、これらは単独で又は組み合わせて使用可能である。第１の接着剤５は、それが個体又は粉末の場合には水に溶解するなどして使用できる。
【００１６】
前記各種接着剤のうちでは、合成樹脂エマルション系、特にエチレン酢酸ビニル樹脂エマルション系接着剤が第１の接着剤５として好ましい。さらに、１００００ｍＰａ／ｓ以下、好ましくは７０００〜１００００Ｐａ／ｓの粘度を有するものが特に好ましい。このような接着剤としては、７ＫＭ（ＭＢ接着、松本久夫商店製）が挙げられる。
【００１７】
第２の接着剤６もまたその種類について特に制限されず、第１の接着剤５と同様、従来公知の澱粉系、膠系、前記例示の合成樹脂を主成分とする合成樹脂エマルション系（１種又は２種以上の組み合わせが可能）、前記樹脂を主成分とするホットメルト系（１種又は２種以上の組み合わせが可能）などの接着剤を使用できる。第２の接着剤６は、第１の接着剤５と同種であってもよく、異種であってもよい。
【００１８】
第１の接着剤５と同種のものを第２の接着剤６として用いる場合、合成樹脂エマルション系、特にエチレン酢酸ビニル樹脂エマルション系接着剤が好ましい。さらに、１００００ｍＰａ／ｓ以下、好ましくは７０００〜１００００Ｐａ／ｓの粘度を有するものがより好ましい。このような接着剤としては、７ＫＭ（ＭＢ接着、松本久夫商店製）が挙げられる。
【００１９】
［無線綴じ冊子の製本方法］
次に、図２及び図３を参照して、本発明の無線綴じ冊子の製本方法の一実施形態について順を追って説明する。
【００２０】
［表紙材へのスジ押し工程］  
まず、スジ押し機（不図示）を用い、表紙材３の中央領域に所定の間隔だけ離して互いに平行に２本のスジ４、４を刻設する。それぞれのスジ４の幅Ｈ（表紙材３の裏面上において、スジの長さ方向に直交する方向の幅）は０．３〜０．８ｍｍ、好ましくは０．４〜０．７ｍｍに設定される。
【００２１】
従来の無線綴じ冊子の製本方法においては、表紙材に刻設されるスジの幅は１ｍｍ又はそれ以上に設定されていたが、その場合、接着剤がスジ内に十分に充填されにくく、その結果、空気を抱き込むことで接着剤の劣化が著しくなり、また接着剤ののど部への回り込みが著しくなるとの知見を本発明者は得た。そこで、本発明においては、それぞれのスジ４の幅を従来よりも小さく設定することで、スジ４内により確実に接着剤を充填し、さらにのど部への接着剤ｍの回り込みを防止するようにしたものである。なお、スジ押し機はスジ押し用の回転円板を備えた従来公知のものを使用でき、スジ４の幅の設定は、前記回転円板の表紙材３への押し付け力を調整することにより行われる。また、スジ４の幅Ｈを前記範囲に収めるために、より厚さの薄い回転用円板（不図示）を適宜用いるようにしてもよい。
【００２２】
［紙材積層体２への表紙材３の重ね合せ工程］
表紙材３の一方のスジ４を折れ目にして当該スジ４が外側にくるように反対側に略２つ折りし、このスジ４を紙材積層体２の背となる面２ａに面一に揃えて積層配置する。このとき、紙材積層体２の表面（表表紙）側、裏面（裏表紙）側のいずれに表紙材３を配置してもよい。（但し、紙材積層体２の表表紙側に表紙材３を配置する場合には、表紙材３の表表紙部３ａ（又は３ｂ）が直接、紙材積層体２の表面に接するようにし、紙材積層体２の裏表紙側に表紙材３を配置する場合には、表紙材３の裏表紙部３ａ（又は３ｂ）が直接、紙材積層体２の裏表紙側に接するように配置する点には留意する必要がある。）
【００２３】
この工程では、紙材積層体２と表紙材３とを１組とし、複数組を重ね合わせるようにしてもよい。こうすることで、一度に複数組について第１の接着剤５を塗付でき、作業の効率化が図られる。なお、紙材積層体２と表紙材３の１組又は複数組の組み合わせのいずれの場合も、その厚さ方向に加圧状態に保持しておくことが好ましい。
【００２４】
［第１の接着剤の塗付乾燥工程］
前記紙材積層体２の背となる面及び前記表紙材のスジ４内の全面に第１の接着剤５を塗布する。前記のような複数組を組み合わせた場合、その厚さ方向に加圧状態に保持しつつ、一度に接着剤５を塗付できる。第１の接着剤５は必要な場合、２回以上重ねて塗付してもよい。
【００２５】
このようにして第１の接着剤５を塗付した紙材積層体２と表紙材３との組み合わせ（１組又は複数組）を、その厚さ方向に加圧状態に保持したまま第１の接着剤５が完全に硬化するまで乾燥する。乾燥は、従来公知の方法により行うことができる。例えば、一昼夜又はそれ以上の時間、室内に放置する方法であってもよい。
【００２６】
［第２の接着剤の塗付工程］
次に、乾燥硬化した第１の背着剤層５に重ねて、第２の接着剤６を塗付し第２の接着剤層６を設ける。この第２の接着剤６は、紙材積層体２の表紙材３を重ねて配置した側から積層体２の厚さの４０〜７０％の幅でかつスジ４の長さ方向全長にわたり塗布する。
【００２７】
［表紙材を折り曲げ返し積層体の背部及び表裏麺を覆う工程］
第２の接着剤６の塗付後、すぐに２つ折りされた表紙材３を、今度はスジ４の各々が内側になるようにそれぞれを折れ目にして折り曲げ返してコの字状に形成する。そうして、コの字状に折り曲げられた表紙材３によって紙材積層体２の第２の接着層を塗布した背部分２ａ、表裏面をそれぞれ包む。このとき、第１の接着剤５が充填された一方のスジ４内と紙材積層体２の背となる面とは第１の接着剤層層５によって一体に固定された状態を保持するようにする。
【００２８】
［第２の接着剤を乾燥する工程］
加熱具１０を用い、これを表紙材３の背部３ｃに外側から内部の紙材積層体２に向けて押し当てて加熱し、第２の接着剤６を紙材積層体２の背となる面と表紙材３の内面との隙間で前記第１の接着剤層５の全面に拡散させるとともに、第１の接着剤５が充填されていない他方のスジ４の内部にも充填させ、加熱具１０により押圧した状態のまま第２の接着剤６を硬化養生させる。かくして、製本作業が完了し、無線綴じ冊子１が得られる。
【００２９】
こうして得られる冊子１は、表紙材３と紙材積層体２との間が第１の接着剤層５及び第２の接着剤層６によって確実に接着固定されているので、図４に示すように任意の頁で開いた場合、表紙材３の背部３ｃに強制的に湾曲させる力が働き、これにより背部３ｃに略垂直に固定された個々の紙材２はより水平に向くようになり、結果として優れた見開き性を得ることができる。
【００３０】
また、仮に表紙材３の内面と紙材積層体２の背となる面との間が第２の接着剤層６によっても十分に接着していない場合であっても、表紙材３の２本のスジ４，４にはそれぞれ第１の接着剤５及び第２の接着剤６が確実に充填された状態で硬化し、紙材積層体２の背となる部分の接着剤層５、６と一体をなすようになる。そのため、冊子１を任意の頁で開いた場合、両側縁がスジ内に充填され、２層から構成される接着剤層５，６が強制的に湾曲するので、同様に優れた見開き性が得られることになる。
【００３１】
本発明の無線綴じ冊子の製本方法は、種々の無線綴じ冊子の製本に適用可能であるが、特に３０〜３００枚程度のノートブックなどの冊子の製本には有効に適用できるものである。
【符号の説明】
【００３２】
１  無線綴じ冊子
２  紙材（紙材積層体）
３  表紙材
３ａ  表表紙部
３ｂ  裏表紙部
３ｃ  表紙材の背部
４  スジ
５  第１の接着剤（層）
６  第２の接着剤（層）
１０  加熱具（電気鏝）
Ｈ  スジの幅
【図１】
2016002717.tif 000003
【図２】
2016002717.tif 000004
【図３】
2016002717.tif 000005
【図４】
2016002717.tif 000006